(57)【要約】【課題】水滴を多量に含んだ場合であっても容易に排水処理を施すことができる速乾性に優れた構造を有し、しかも表面が常に乾燥して踏み心地がよく、底面も濡れないので滑るおそれが解消されて安全であり、排水、乾燥、掃除等の手入れにおいても簡単である取扱性に優れた吸水マットを提供する。【解決手段】水を通過させる編目４ａを防水糸４ｂで平面的に編んだ可撓性を有する上面層４と、防水性を有する弾性糸５ａの多数を湾曲状態に起立させて上下方向に弾性変形許容させる一定高さの平面的な立体空間５ｂを形成した中間層５と、滑り止め部６ａを底面に有する防水シート６ｂで形成された底面層６とを上下方向に積層して一体化した積層シート２を構成し、前記積層シート２の周縁に開口されている側面開口部７ａを防水カバー７で水密に覆って構成した吸水マット１であることを特徴とする。【選択図】図１
2014124353.tif 000002
【特許請求の範囲】
【請求項１】
防水糸を機織した織布にて形成された上面層と、
滑り止め部を底面に有する防水シートで形成された底面層と、
上面層と底面層との間に防水性を有する多数本の弾性糸を起立させて上下方向に弾性的に屈曲変形を許容する一定高さの立体空間を形成した中間層とで積層シートを構成し、
前記積層シートの周縁に開口されている側面開口部を防水カバーで水密に覆って構成したことを特徴とする吸水マット。
【請求項２】
前記上面層は、前記編目で水を受入れ排水可能に可逆通過させる受排水面で構成したことを特徴とする請求項１に記載の吸水マット。
【請求項３】
前記中間層は、前記弾性糸を一定高さに起立させて形成し、該弾性糸の上端部を前記上面層に接着又は編み込んで連結し、下端部を前記底面層の上面に備えた連結部に接着又は編み込んで連結して前記積層シートを一体化構成したことを特徴とする請求項１または２に記載の吸水マット。
【請求項４】
前記底面層は、弾性に富む防水シートで構成した請求項１〜３のいずれかに記載の吸水マット。
【請求項５】
前記防水カバーの外表面を化粧カバーで覆って構成したことを特徴とする請求項１〜４のいずれかに記載の吸水マット。
【請求項６】
前記積層シート、前記防水カバー及び前記化粧カバーは抗菌及び消臭処理の少なくともいずれかを施していることを特徴とする請求項１〜５のいずれかに記載の吸水マット。
【発明の詳細な説明】
【技術分野】
【０００１】
本発明は、例えば浴室の出入口に敷設されるような吸水マットに関し、さらに詳しくは床面上に滴る水滴を吸水する吸水性及び吸水した水を効率よく排出する排水性に富む吸水マットに関する。
【背景技術】
【０００２】
従来の吸水マットは用途に応じて吸水性能の異なる様々な種類の吸水マットが使用されている。例えば、浴室の出入口の床面に厚手の織物等で作られた吸水マットが敷設された場合は、吸水能力が高い反面、吸水すると吸水マットが厚くて重いため使用後の乾燥等に時間が掛かり取扱性が悪い。また、吸水マットが少しでも水滴を吸水した場合は、マット表面が湿って足裏の肌ざわり感触が悪く不快感が生じていた。さらに、吸水マットが水分を多量に含んだ場合は床面に水分が滲み出てしまう。このため、吸水マットの底面側を防水シートで覆って床面を濡らさないようにすることも考えられるが、織物材と防水材との異種材料で構成されるため吸水マットの重量が増して取扱性が悪くなるほか、吸水マットを手入れする際の排水性や乾燥性などが低下してしまう。
【０００３】
特に、浴室の出入口、シャワー室の出入口、車椅子やストレッチャー等の特殊浴室の出入口のように水滴が多量に滴る場所に大型の吸水マットを敷設した場合、大型マットのため取り扱い難くなるほか水分を絞り出す排水作業が大掛かりとなり、またその後の乾燥や手入れにおいても多くの作業労力と時間が掛かっていた。
【０００４】
このため、多数の通気孔を有する弾性ブロック状の台の上面に薄いシート状のマット(吸水体)を着脱可能に敷設することにより、吸水体の敷設や交換を可能にして吸水体の乾きが速くなることを狙った吸水マット基板が提案されている(例えば特許文献１参照)。しかし、吸水体が水分を多量に含んでいると、薄い吸水体では対応しきれず、吸水した水分がその内方の台の通気孔を塞いだり、外部に滲み出て床面を濡らしてしまうし、濡れた吸水体を踏むと足の裏に水がついてベタベタする。また、厚手の吸水体を用いることも考えられるが、この場合は吸水マット基板が厚くなってさらに取り扱いが悪くなってしまう。手入れする際は、台と吸水体との２部品を別々に扱って清掃及び乾燥することになり、その都度、分離作業や組立作業を要する問題を有していた。
【０００５】
このほか、病院等でシャワー用車椅子や入浴用ストレッチャーが利用される特殊なシャワー室や浴室から出る際に、利用者から滴る水滴に加えてシャワー用車椅子や入浴用ストレッチャーから多量の水滴が滴り落ちる。この水滴は通常の吸水マットの保水量では到底足りず、吸水マットを通って床に流れ出し、付き添いの人はこの流れ出した多量の水を拭き取ったり、吸水させたり、使用後に排水させたりするには手間がかかる問題を有していた。
【先行技術文献】
【特許文献】
【０００６】
【特許文献１】特開２００３−２４５１８７号公報
【発明の概要】
【発明が解決しようとする課題】
【０００７】
そこで、本発明は水滴を多量に含んだ場合であっても容易に排水処理を施すことができる速乾性に優れた構造を有し、しかも表面が常に乾燥して踏み心地がよく、底面も濡れないので滑るおそれが解消されて安全であり、排水、乾燥、掃除等の手入れにおいても簡単である取扱性に優れた吸水マットを提供することを目的とする。
【課題を解決するための手段】
【０００８】
請求項１に記載した発明は、
「防水糸４ｂを機織した織布にて形成された上面層４と、
滑り止め部６ａを底面に有する防水シート６ｂで形成された底面層６と、
上面層４と底面層６との間に防水性を有する多数本の弾性糸５ａを起立させて上下方向に弾性的に屈曲変形を許容する一定高さの立体空間５ｂを形成した中間層５とで積層シート２を構成し、
前記積層シート２の周縁に開口されている側面開口部７ａを防水カバー７で水密に覆って構成したことを特徴とする吸水マット１」である。
【０００９】
請求項２に記載した発明は、請求項１に記載の吸水マット１に関し、「前記上面層４は、前記編目４ａで水を受入れ排水可能に可逆通過させる受排水面４ｃで構成した」ことを特徴とする。
【００１０】
受排水面４ｃは、編目４ａを通して水滴９ａを上方より受け入れ許容し、吸水マット１を表裏反転して溜めた水を該受排水面４ｃの編目４ａを通して下向きに排水可能に可逆通過させる共通の編目４ａで構成する。
【００１１】
請求項３に記載した発明は、請求項１または２に記載の吸水マット１に関し、「前記中間層５は、前記弾性糸５ａを一定高さに起立させて形成し、該弾性糸５ａの上端部を前記上面層４に接着又は編み込んで連結し、下端部を前記底面層６の上面に備えた連結部８に接着又は編み込んで連結して前記積層シート２を一体化構成した」ことを特徴とする。
【００１２】
請求項４に記載した発明は、請求項１〜３のいずれかに記載の吸水マット１に関し、「前記底面層６は、弾性に富む防水シート６ｂで構成した」ことを特徴とする。防水シート６ｂは、弾性に富む材料として例えば合成ゴムシートで構成することができる。
【００１３】
請求項５に記載した発明は、請求項１〜４のいずれかに記載の吸水マット１に関し、「前記防水カバー７の外表面を化粧カバー３で覆って構成した」ことを特徴とする。化粧カバー３は、意匠性の高い防水性を有するカバー生地が好ましい。
【００１４】
請求項６に記載した発明は、請求項１〜５のいずれかに記載の吸水マット１に関し「前記積層シート２、前記防水カバー７及び前記化粧カバー３は抗菌及び消臭処理の少なくともいずれかを施している」ことを特徴とする。
【発明の効果】
【００１５】
請求項１に記載の発明によれば、吸水マット１の上面層４を水滴９ａを通過させる平面的な層とし、中間層５を一定高さの平面的な立体空間５ｂを有する層とし、底面層６を防水シート６ｂにて形成し、周囲を防水カバー７で水密に覆っている。このため、中間層５と底面層６とで吸水マット１に滴下する大量の水滴９ａを容器のように受け入れて保持することができる。特に、弾性糸５ａは平面的な立体空間５ｂに多数存在するものであり、且つ防水性であるため水分９を含まず、水分９に浸っても膨らまないことから立体空間５ｂの収容領域は狭まらず常に有効に保水空間として利用できる。
【００１６】
さらに、吸水マット１を反転あるいは屈曲させて傾ければ一気に排水することができるし、水切りして陰干しすれば乾燥できるので手入れが容易で吸水マット１の取扱性が容易になる。また、上面層４は受け入れた水分９と非接触で濡れないため吸水マット１の表面は常に水切りされて通気性のよい状態にあり、足裏がベタつかず爽やかな踏下面を維持する。
【００１７】
また、中間層５は弾性を有しているので利用者が踏んだ際にクッション性に富むため踏み心地がよく、仮に利用者が転んでも柔らかく受け止めるので怪我の発生を防止できる効果も得られる。加えて、底面に滑り止め部６ａを備えているので、吸水マット１は床面Ｆをしっかり捉えて滑り難く安全であり、利用者が吸水マット１を踏んだ際に滑って転ぶようなおそれがなくなる。また、底面層６は防水性を有しているため床面は濡れなくなる。
【００１８】
請求項２に記載の発明によれば、可撓性を有する上面層４は柔らかく、また防水性を有して介在されるため湿らず乾燥状態を維持できる。さらに、吸水マット１を反転させると、受排水面４ｃとなる上面層４が下向きとなり、それまで溜まった水分を受排水面４ｃより落下させて直ちに排除することができ、排水作業が容易となる。
【００１９】
請求項３に記載の発明によれば、中間層５を構成する弾性糸５ａを上・底面層４，６に接着又は編み込んで一体化した積層シート２を構成することができる。
【００２０】
請求項４に記載の発明によれば、底面層６が弾性に富んで柔軟性を有しているので積層シート２を丸めて、あるいは折り畳むことが可能になる。このため、持ち運びがし易くなり、吸水マット１の取り扱いが一層容易になる。
【００２１】
請求項５に記載の発明によれば、意匠性の低い防水カバー７の外周囲を化粧カバー３で覆っているため吸水マット１は美観に優れ、商品価値を高めて高級な吸水マット１を提供することができる。
【００２２】
請求項６に記載の発明によれば、吸水マット１を抗菌、消臭処理して常に衛生的に保つことができる。
【図面の簡単な説明】
【００２３】
【図１】(Ａ)は本発明の吸水マットを示す平面図、(Ｂ)は本発明の吸水マットの縦断面図、(Ｃ)は本発明の吸水マットの要部拡大縦断面図、(Ｄ)は(Ｃ)の直角方向の要部拡大縦断面図である。
【図２】(Ａ)は本発明の第１実施例の吸水マットの分解斜視図、（Ｂ)は第２実施例の吸水マットの分解斜視図である。
【図３】(Ａ)は本発明の吸水マット踏下前の状態を示す要部縦断面図、(Ｂ)は本発明の吸水マット踏下中の状態を示す要部縦断面図である。
【図４】(Ａ)は本発明の吸水マットの吸水状態を示す要部拡大縦断面図、(Ｂ)は本発明の吸水マットを表裏反転した排水状態を示す要部拡大縦断面図である。
【図５】本発明の入浴用ストレッチャー専用の吸水マットの使用状態を示す斜視図である。
【発明を実施するための形態】
【００２４】
以下、本発明を図示実施例にしたがって説明する。図１は床面に敷設される吸水マット１を示し、この吸水マット１は積層シート２と、この積層シート２の周囲を覆う防水カバー７と化粧カバー３とで構成される。積層シート２は、例えば、図２(Ａ)に示すように、積層シート本体２ａの下に底面層６を積層して一枚のシート状に構成したものと、図２(Ｂ)に示すように、上面層４と中間層５と底面層６とをこの順に積層して一枚のシート状に構成したものがある。
【００２５】
図２(Ａ)の場合、多数本の防水性を有する弾性糸５ａを起立させて上下方向に弾性的に屈曲変形を許容する一定高さの立体空間５ｂを形成する中間層５の上面に、水を通過させる編目４ａを防水糸４ｂで平面的に編んだ可撓性を有する上面層４が弾性糸５ａを編み込んで連結して形成され、中間層５の下面に、同じく水を通過させる編目４ａを防水糸４ｂで平面的に編んだ可撓性を有する下面層４ｄが弾性糸５ａを編み込んで連結して形成されている。重複するが、弾性糸５ａは、上記のように機織にて構成される上面層４及び下面層４ｄの糸と共に編み込まれ、上面層４と下面層４ｄとの間に起立して上下方向に弾性的に屈曲変形を許容する一定高さの立体空間５ｂを形成している。
【００２６】
弾性糸５ａの形状は、上面層４と下面層４ｄとの間で垂直状態で起立していてもよいし、湾曲（カール）した状態でもよい。本発明では、図１(Ｃ)(Ｄ)に示すように、一方からはループを描くよう編み込まれ、他方では同一方向に湾曲したように編み込まれ、一定の密度で整列して起立している。このようにすることによって、湾曲量が少ない高起立状態(無負荷時)と湾曲量が大きい低起立状態(負荷時)との間で伸縮高さが変化し、弾性糸５ａ自体の弾力性と相まって強い復元力を示すようになる。そして、弾性変形許容量は、人の体重、あるいは車椅子、ストレッチャー１０等の重さを支える際、その重さに対し、十分な緩衝作用が得られる伸縮度合いに設定すればよい。この場合、平面的な立体空間５ｂの高さを変えることによって所望の弾性変形許容量を得ることができる。
【００２７】
このような作用を奏する中間層５を構成する弾性糸５ａは、防水性を有し、且つ、軽量で耐久性が得られる樹脂材を用いることが望ましく、例えば、ナイロン糸、フロロカーボン糸（ポリフッ化ビニリデン糸）、ポリエチレン糸、ポリエステル糸など腰が強く高反発・高弾性糸が使用される。弾性糸５ａは直径が０．１ｍｍ〜１ｍｍ程度の単繊維（１本の糸）で構成されている。
【００２８】
上面層４及び下面層４ｄは、図１(Ａ)に示すように、水を通過させる編目４ａをポリエステル加工糸、ポリエステル繊維等の防水糸４ｂで平面的(シート状)に編んで可撓性を有する平面視長方形に作成したものである。この上面層４及び下面層４ｄは長方形以外に、正方形や円形等の任意形状のシートでもよく、また編目４ａは均一な大きさに揃えて編まれている。この編目４ａにより水を受入れ排水可能に水を可逆通過させる隙間が形成される。そして、これらの多数の隙間を備えた上面層４が受排水面４ｃとして構成されている。上面層４及び下面層４ｄは糸を編み込んで形成さているものであるから、ある程度の保水性を有する。
【００２９】
底面層６は、摩擦抵抗の高い合成ゴム材を素材としてシート状に製作された防水シート６ｂで形成され、この防水シート６ｂ自体が高摩擦抵抗を有しているため外部に露出する底面が滑り止め部６ａとなっている。この滑り止め部６ａは底面をさらに凹凸形成(図面省略)して滑り止め性を高めている。また、防水シート６ｂの上面には、防水糸で平面的に編まれた下面層４ｄを埋設して固着し、この固着された各編部の部分を上述した弾性糸５ａの下端部を編み込んで連結させる連結部８としている。
【００３０】
滑り止め部６ａは、前述のように摩擦抵抗の高い材料で平面的なシート状にしたものを底面層６に用いてもよく、底面を凹凸形成して滑り止め部６ａとしてもよいが、底面層６の底面に摩擦部材を部分的に貼着してもよく、摩擦シートを底面層６の底面全体に貼着して設けてもよい。
【００３１】
防水カバー７は、例えばポリエステルシート等の樹脂製の防水シートで構成され、図２に示すように、積層シート２の周縁に開口されている４辺の側面開口部７ａを断面コ形状の防水カバー７で水密に覆って取り付けている。取り付けに際しては、水密性を維持できればよく、加熱して圧着あるいはミシン掛けにより積層シート２の上下面に縫い合わせて取り付ければよい。ミシン掛けの場合は、ミシン目からの漏水を避けるためにミシン目に沿って防水シール１１を施すことになる。
【００３２】
防水カバー７の外周にはこれを覆うように化粧カバー３を施すようにしてもよい。化粧カバー３は、高級感のある耐久性のよい生地、好ましくは防水性も備えた生地で断面コ形状に構成し、この化粧カバー３で上述した防水カバー７の外表面を覆い、これらの両カバー３，７を重ね合わせて取り付ける。取り付けに際しては、加熱して圧着あるいはミシン掛けして取り付ければよい。この場合は防水シール１１を化粧カバー３の上に施すことになる。また、吸水マット１を構成する積層シート２、防水カバー７及び化粧カバー３は、素材の段階で予め抗菌、消臭処理を施すことが好ましい。
【００３３】
図２(Ｂ)に示す吸水マット１の他の実施例は、上面層４と中間層５と底面層６とをこの順に積層して一枚のシート状に構成したもので、中間層５は、これを形成する弾性糸５ａをループ（コイル）状に巻いて弾性線状体の集合体としたもので形成されている。その場合、弾性線状体のループ（コイル）に対して直角の方向から見た場合、弾性線状体が一方向に湾曲させて起立するようにするのが弾力性の点で好ましい。ループ（コイル）では弾性糸５ａが交差している。この点は図(Ａ)でも同様である。勿論、垂直に起立するようにしてもよいとはいうまでもない。このようにすることによって一定高さの空間を保って上下方向に弾性変形許容させる一定高さの平面的な立体空間５ｂが形成される。なお、本発明全体の中間層５について言えるが、弾性糸５ａの起立密度、線径の大きさ、高さによって任意の弾性力に設定することができる。
【００３４】
そして、この場合も上面層４は実施例１と同様、編地で形成され、弾性線状体の集合体である中間層５の上面に接着あるいは融着される。同様に、底面層６は実施例１と同様で、弾性線状体の集合体である中間層５の下面に接着あるいは融着される。なお、本発明に共通するが、一定高さの平面的な立体空間５ｂの高さは、求められる弾性変形許容量、水滴貯留量、吸水マットの利用頻度、用途などの条件に応じて設定される。
【００３５】
このように構成された吸水マット１は、通常、図３(Ａ)に示すように、床面Ｆ上に敷設されて上面層４から水滴９ａ(図４(Ａ)参照)を受け入れ許容した状態で待機している。また、中間層５では起立している多数の弾性糸５ａが一定高さの平面的な立体空間５ｂを構築し、該立体空間５ｂが水分の貯留スペースとして設けられる。特に、弾性糸５ａは防水性であるため水分９を含まず、水分９に浸っても膨らまないことから立体空間５ｂの収容領域は狭まらず、常に有効に吸水利用される。底面層６は摩擦抵抗の高い防水シート６ｂの底面が床面Ｆに接して位置ずれが防止された状態にある。さらに、この吸水マット１は外周囲が化粧カバー３で覆われているため美観に優れ、商品価値の高い高級な吸水マット１として利用されることになる。
【００３６】
この吸水マット１が浴室の出入口に敷設されて利用者に踏まれると、図３(Ｂ)に示すように、可撓性を有する上面層４及び弾性糸５ａを有する中間層５は人の体重に応じて撓み、踏下荷重Ｗに応じて部分的に凹状に撓み、踏下荷重Ｗを柔らかく受け止める。即ち、上方から踏下荷重Ｗを受けた時、湾曲量の少ない起立状態から弾性糸５ａの弾性に抗して大きく湾曲されて圧縮された状態に撓み、開放されると元の状態に伸長復帰する弾性機能を有している。このため、利用者は上面層４及び中間層５から弾性反発を受けてクッション性に富むため踏み心地がよく、仮に利用者が転んでも柔らかく受け止めることができる。その後、踏下荷重Ｗが除かれると、再び上面層４と中間層５は弾性復帰して図３(Ａ)に示すように元の待機状態に戻って、次の吸水利用に備えられる。
【００３７】
次に、吸水マット１が吸水する際の使用状態について説明する。図４(Ａ)は吸水マット１が利用された吸水状態を示し、使用時に落下した水滴９ａは上面層４の編目４ａを通過して中間層５の立体空間５ｂに貯留される。このとき、水滴９ａは立体空間５ｂの下部に溜まり、立体空間５ｂの上部は貯留許容空間として存在する。このため、これより上方の上面層４は下部に溜まった水分９と非接触で濡れないので吸水マット１の表面は常に水切りされた状態にあり、通気性が良好で上面層４を構成する糸自体に水が浸み込まないため（但し、上面層４自体は織物であるから、糸の間には保水する。）、足裏がさほどベタつかず爽やかな踏下面を維持することができる。
【００３８】
図４(Ｂ)は吸水マット１の排水状態を示し、吸水マット１の使用後は排水場所で吸水マット１を反転あるいは図示していないが屈曲させて傾け、それまで溜まった水分９を受排水面４ｃを通して落下させ、一気に排水することができることになり、排水作業を簡単に行なえる。その後は、水切りして陰干しすれば短時間に乾燥できる。このように吸水マット１は手入れが容易で吸水マット１の取扱性が容易になる。なお、吸水マット１は抗菌、消臭処理を施しているため、常に衛生的に保つことができる。
【００３９】
図５は病院等で介護されながら使用される入浴用ストレッチャー１０専用の吸水マット１を示している。この場合は、入浴用ストレッチャー１０が大きく、重く、垂れ落ちる水滴９ａが広範囲で多量であるため、入浴用ストレッチャー１０に応じた吸水能力の高い(平面的な立体空間５ｂの高さが高い)大きな吸水マット１を製作して敷設される。
【００４０】
以上説明したように、中間層５と底面層６と防水カバー７とで水滴を容器のように受け入れて保持することができるので多量の水分９を吸水できる。例えば、飲料水を溢したような場合でも吸水して床面Ｆを汚さないようにすることができる。また、上面層４は受け入れた水分と非接触で濡れないため爽やかな踏下面を維持することが可能になる。さらに、中間層５はクッション性に富むため踏み心地がよく、仮に利用者が転んでも柔らかく受け止めるので怪我の発生を防止できる。さらに、吸水マット１を反転させれば一気に排水することができるので手入れが容易で吸水マット１の取扱性が容易になる。また、底面に滑り止め部６ａを備えているので、吸水マット１は滑り難く安全性を高めることができる。さらに、吸水マット１は樹脂材とシート状の合成ゴム材を主素材としているので軽量であり、また積層シート２は弾性に富んでいるので、丸めたり、折り畳んだりすることが可能になる。このため、持ち運びがし易くなり、吸水マット１の取り扱いが一層容易になる。
【００４１】
上述の実施例では浴室に対応したバスマットを用いた例を示したが、これに限らず、玄関マット、キッチンマット等の他の用途にも適用することができる。
【符号の説明】
【００４２】
１…吸水マット、２…積層シート、２ａ…積層シート本体、３…化粧カバー、４…上面層、４ａ…編目、４ｂ…防水糸、４ｃ…受排水面、４ｄ…下面層、５…中間層、５ａ…弾性糸、５ｂ…立体空間、６…底面層、６ａ…滑り止め部、６ｂ…防水シート、７…防水カバー、７ａ…側面開口部、８…連結部、９…水分、９ａ…水滴、１０…入浴用ストレッチャー、１１…防水シール、Ｆ…床面、Ｗ…踏下荷重
【図１】
2014124353.tif 000003
【図２】
2014124353.tif 000004
【図３】
2014124353.tif 000005
【図４】
2014124353.tif 000006
【図５】
2014124353.tif 000007